(57)【要約】【課題】部品点数を増加することなくプリント回路基板の反りを抑制することができる表示装置を提供する。【解決手段】表示パネル１の周縁部前面に対向する第１環板部２１及び該第１環板部２１の外縁から後方へ延出されている第１枠部２２を有する前挾持部材２と、表示パネル１の周縁部後面に対向する第２環板部３１及び該第２環板部３１の外縁から後方へ延出されている第２枠部３２を有し、前挾持部材２との間で表示パネル１の周縁部を挾持してある後挾持部材３と、表示パネル１に接続され、第２枠部３２に取付けられているプリント回路基板９とを備え、プリント回路基板９の一部と対向し、該プリント回路基板９が第１枠部２２の方向へ変形するのを抑制する抑制凸部２３を第１枠部２２と一体に設け、熱膨張によるプリント回路基板９の反りを抑制することができるようにした。【選択図】図１
2009175445.tif 000002
【特許請求の範囲】
【請求項１】
前側に表示面を有する表示パネルと、該表示パネルの周縁部前面に対向する第１環板部及び該第１環板部の外縁から後方へ延出されている第１枠部を有する前挾持部材と、前記表示パネルの周縁部後面に対向する第２環板部及び該第２環板部の外縁から後方へ延出されている第２枠部を有し、前記前挾持部材との間で前記表示パネルの周縁部を挾持してある後挾持部材と、前記表示パネルに接続され、前記第２枠部に取付けられているプリント回路基板とを備える表示装置において、前記第１枠部は、前記プリント回路基板の一部と対向し、該プリント回路基板が前記第１枠部の方向へ変形するのを抑制する抑制凸部を一体に設けてあることを特徴とする表示装置。
【請求項２】
前記プリント回路基板は複数の電子部品が実装されている実装部及び非実装部を有し、前記抑制凸部は前記非実装部と対向する位置に配してある請求項１記載の表示装置。
【請求項３】
前記抑制凸部は略円錐台形をなしている請求項１又は２記載の表示装置。 
【発明の詳細な説明】
【技術分野】
【０００１】
本発明は二つの挾持部材により表示パネルの周縁部を前後から挾持してある液晶テレビジョン等の表示装置に関する。
【背景技術】
【０００２】
液晶テレビジョン等の薄型の表示装置は、前側に表示面を有し直方体をなす表示パネルと、該表示パネルの周縁部前面に対向する第１環板部及び該第１環板部の外縁から後方へ延出されている第１枠部を有する金属性の前挾持部材と、前記表示パネルの周縁部後面に対向する第２環板部及び該第２環板部の外縁から後方へ延出されている第２枠部を有し、前記第１枠部との間で前記表示パネルの周縁部を挾持してある合成樹脂性の後挾持部材と、前記表示パネルの周縁部に一端が接続され、電子部品が実装されているフレキシブルプリント基板と、該フレキシブルプリント基板の他端に接続され、前記第２枠部に取付けられているプリント回路基板とを備える（例えば、特許文献１参照）。
【０００３】
近年の表示装置における表示パネルは大型化及び高精細化の傾向にあり、これに伴い、フレキシブルプリント基板に実装されている電子部品の消費電力が増加し、発熱量も増加することになるため、特許文献１にあっては前記フレキシブルプリント基板と前記前挾持部材との間に、絶縁体からなる熱伝導性部材を設け、前記電子部品により発熱した熱を熱伝導性部材から前挾持部材へ逃がすことにより前記電子部品の温度上昇を抑制するように構成されている。
【０００４】
また、前記電子部品により発熱した熱により前記プリント回路基板が熱膨張し、該プリント回路基板に反りが発生し易くなるため、前記第１枠部のプリント回路基板と対向する複数の箇所に合成樹脂製のクリップを取付けたり、又は第１枠部のプリント回路基板と対向する箇所に帯状のクッション材を貼付けることによりプリント回路基板の反りを抑制するように構成された表示装置も開発されている。
【０００５】
また、近年の表示装置は狭額縁化及び薄型化の傾向にあり、これに伴い、前挾持部材及び後挾持部材間の間隔が狭くなり、前記プリント回路基板と前記第１枠部間の間隔が狭くなるため、熱膨張により前記プリント回路基板に反りが発生したとき、該プリント回路基板に実装されている電子部品が金属製の第１枠部と接触し、ショートする可能性が高くなるため、前記第１枠部のプリント回路基板との対向箇所に絶縁シートを貼付け、熱膨張によりプリント回路基板に反りが発生したときにおいてもショートすることがないように構成された表示装置も開発されている。
【特許文献１】特開２００７−２２６０６８号公報
【発明の開示】
【発明が解決しようとする課題】
【０００６】
しかし、特許文献１のように構成された表示装置にあっては、熱伝導性部材が前挾持部材に取付けられており、また、先に開発された表示装置にあっては、前挾持部材とは別個にクリップ、クッション材及び絶縁シートが必要であるため、部品点数が増加し、組立工数も増加することになり、改善策が要望されていた。
【０００７】
本発明は斯かる事情に鑑みてなされたものであり、主たる目的は前挾持部材の第１枠部に、後挾持部材の第２枠部に取付けられるプリント回路基板の一部と対向し、該プリント回路基板が前記第１枠部の方向へ変形するのを抑制する抑制凸部を一体に設けることにより、部品を増加することなくプリント回路基板の反りを抑制することができる表示装置を提供することにある。
【課題を解決するための手段】
【０００８】
本発明に係る表示装置は、前側に表示面を有する表示パネルと、該表示パネルの周縁部前面に対向する第１環板部及び該第１環板部の外縁から後方へ延出されている第１枠部を有する前挾持部材と、前記表示パネルの周縁部後面に対向する第２環板部及び該第２環板部の外縁から後方へ延出されている第２枠部を有し、前記前挾持部材との間で前記表示パネルの周縁部を挾持してある後挾持部材と、前記表示パネルに接続され、前記第２枠部に取付けられているプリント回路基板とを備える表示装置において、前記第１枠部は、前記プリント回路基板の一部と対向し、該プリント回路基板が前記第１枠部の方向へ変形するのを抑制する抑制凸部を一体に設けてあることを特徴とする。
【０００９】
この発明にあっては、熱膨張によりプリント回路基板に反りが発生する際、該プリント回路基板の反りを、前挾持部材と一体に設けられている抑制凸部が抑制するため、部品点数を増加することなくプリント回路基板に実装されている電子部品が前挾持部材に接触するのを防ぐことができる。従って、狭額縁化及び薄型化される表示装置の部品点数を増加することなくプリント回路基板部分でのショートを防ぐことができ、コストを低減することができる。
【００１０】
また、本発明に係る表示装置は、前記プリント回路基板は複数の電子部品が実装されている実装部及び非実装部を有し、前記抑制凸部は前記非実装部と対向する位置に配してある構成とすることが好ましい。
この発明にあっては、プリント回路基板に実装されている電子部品が前挾持部材に接触するのを確実に防ぐことができ、ショートを防ぎ、電子部品の耐久性を高めることができる。
【００１１】
また、本発明に係る表示装置は、前記抑制凸部は略円錐台形をなしてあることが好ましい。
この発明にあっては、抑制凸部のプリント回路基板との接触面積を大きくすることができるため、プリント回路基板をより一層反り難くすることができる。
【発明の効果】
【００１２】
本発明によれば、熱膨張によりプリント回路基板に反りが発生する際、該プリント回路基板の反りを、前挾持部材と一体に設けられている抑制凸部が抑制するため、部品点数を増加することなくプリント回路基板に実装されている電子部品が前挾持部材に接触するのを防ぐことができる。従って、狭額縁化及び薄型化される表示装置の部品点数を増加することなくプリント回路基板部分でのショートを防ぐことができ、コストを低減することができる。
【発明を実施するための最良の形態】
【００１３】
以下本発明をその実施の形態を示す図面に基づいて詳述する。
図１は本発明に係る表示装置の構成を示す一部を省略した断面図、図２は要部の構成を示す拡大断面図、図３はパネルモジュールの構成を示す斜視図、図４はパネルモジュールの一部を拡大した斜視図、図５はプリント基板の構成を示す斜視図である。
【００１４】
この表示装置は、テレビ画像を表示する表示面１ａを前面に有する液晶の表示パネル１と、該表示パネル１の周縁部を前後で挾持する前挾持部材２及び後挾持部材３と、表示パネル１の後側に配されているバックライト部４と、該バックライト部４のランプ４１及び表示パネル１の間に配されている光学シート５と、前挾持部材２に被嵌され、枠形をなすキャビネット６と、バックライト部４の後側を被覆するカバー体７とを備える液晶テレビジョン、換言すれば液晶の表示装置である。
【００１５】
表示パネル１は略直方体をなし、上縁部前面及び下縁部前面には、一面に電子部品９１が実装されている複数のフレキシブルプリント基板８の一端が前記上縁部及び下縁部の長手方向（表示パネル１の周方向）に離隔して接続されている。
【００１６】
表示パネル１の後側に配されている後挾持部材３は、表示パネル１の周縁部後面に対向する矩形環状の第２環板部３１及び該第２環板部３１の外縁から後方へ延出され、角筒形をなしている第２枠部３２を有し、合成樹脂材を成形してなる。第２枠部３２における上板部３２ａ及び下板部の外面に前記フレキシブルプリント基板８夫々の他端に接続されているプリント回路基板９が取付けられている。また、第２環板部３１の内縁側前面には表示パネル１の周縁部を弾性的に受止める弾性体１０が設けられている。
【００１７】
プリント回路基板９はベルト形状をなし、一面に複数の電子部品９１及びコネクタ９２が実装されており、第２枠部３２における上板部３２ａ及び下板部の長手方向に沿って配され、両端部が第２枠部３２に取付けられている。一面における幅方向の一側部には、長手方向へ離隔した複数箇所に、微小の電子部品９１が並置されている実装部９ａと、隣合う実装部９ａ間に配されている接地部９ｂ（非実装部）とを有し、実装部９ａに対応する幅方向の縁部にフレキシブルプリント基板８の他端が接続されている。また、一面における幅方向の他側部には、前記コネクタ９２及びフレキシブルプリント基板８に接続されているプリント配線部を有する。
【００１８】
表示パネル１の前側に配されている前挾持部材２は、表示パネル１の周縁部前面に対向する矩形環状の第１環板部２１、及び第１環板部２１の外縁から後方へ延出され、角筒形をなしている第１枠部２２を有し、金属板をプレス成形してなり、第１枠部２２を第２枠部３２の外側に配してある。第１枠部２２における上板部２２ａ及び下板部のプリント回路基板９と対向する箇所には、プリント回路基板９の接地部９ｂ（非実装部）と対向し、プリント回路基板９が第１枠部２２の方向へ変形するのを抑制する複数の抑制凸部２３を一体に設けてある。また、第１環板部２１の内縁側後面には表示パネル１の周縁部を弾性的に受止める弾性体１１が設けられている。
【００１９】
抑制凸部２３は第１枠部２２における上板部２２ａ及び下板部の一部を内方へプレス成形することにより台形円錐をなしており、プリント回路基板９の接地部９ｂと僅かに離隔して対向し、熱膨張によりプリント回路基板９に反りが発生する際、抑制凸部２３が接地部９ｂと接触し、プリント回路基板９の反りを抑制することができるように構成されている。
【００２０】
また、前挾持部材２及び後挾持部材３は、第１環板部２１及び第２環板部３１の複数の周方向位置において雄螺子により結合され、表示パネル１の周縁部を弾性体１０，１１を介して挾持し、パネルモジュールになっている。このパネルモジュールは、第１環板部２１及び第２環板部３１の複数の周方向位置において雄螺子によりバックライト部４のシャーシ４２に取付けられている。
【００２１】
バックライト部４は、複数本が上下に離隔して並置されている円筒形をなすランプ４１と、該ランプ４１を収容支持し、箱形をなすシャーシ４２と、シャーシ４２の内側に取付けられ、光学シート５の周縁部を受止めるシート受体４３と、シャーシ４２の後壁に沿って配され、シャーシ４２内に収容されているランプ４１が発光した光をシャーシ４２の開放側へ反射させる反射シート４４とを備え、シャーシ４２の後壁に回路基板等の電気部品が取付けられている。
【００２２】
ランプ４１は両端部に電極を有する冷陰極管又は熱陰極管であり、シャーシ４２内の両側に並設された保持部に両端部が保持され、また、中間部がランプクリップによりシャーシ４２の後壁に保持されている。
【００２３】
キャビネット６は、前側の第１環板部２１を被覆する装飾板部６１、及び該装飾板部６１の外縁から後方へ延出され、第１枠部２２の周縁部を被覆する枠部６２と、装飾板部６１の内側から後方へ突出する筒形ボス６３とを有し、合成樹脂材により一体に成形され、筒形ボス６３内に螺着する雄螺子によりシャーシ４２の周縁部に取付けられている。
【００２４】
カバー体７はバックライト部４を覆う深皿形状をなし、前側の開放部が枠部６２の後端部内側に嵌入されるように構成されている。また、板壁部には前方へ突出している筒形ボスを有し、該筒形ボス内に螺着する雄螺子によりシャーシ４２の周縁部に取付けられている。
【００２５】
以上のように構成された表示装置は表示パネル１の周縁部を前後から挾持している前挾持部材２と後挾持部材３との間の隙間は比較的狭く、表示パネル１の表示面積に対して小型化及び薄型化されており、後挾持部材３の第２枠部３２に取付けられているプリント回路基板９と前挾持部材２の第１枠部２２との間の間隔も比較的狭くなっている。
【００２６】
このように構成されている表示装置において、プリント回路基板９に実装されている電子部品９１が発生する熱等によりプリント回路基板９が熱膨張し、該プリント回路基板９が第１枠部２２側へ反り変形する際、第１枠部２２と一体成形されている抑制凸部２３にプリント回路基板９の接地部９ｂが接触し、プリント回路基板９の反り変形を抑制することができる。従って、プリント回路基板９に実装されている電子部品９１が、金属製の第１枠部２２（前挾持部材２）に接触するのを防ぐことができ、プリント回路基板９部分でのショートを防ぐことができる。また、抑制凸部２３は第１枠部２２と一体成形されているため、部品点数の増加がなく、組立作業性を高めることができ、コストを低減できる。また、プリント回路基板９の接地部９ｂが抑制凸部２３に接触した際、前挾持部材２によりプリント回路基板９をアースすることができる。
【００２７】
図６は要部の他の構成を示す拡大断面図である。以上説明した実施の形態では、プリント回路基板９の接地部９ｂと僅かに離隔して対向する抑制凸部２３を備える構成について説明したが、その他、図６に示すように抑制凸部２３はプリント回路基板９の熱膨張に関係なく該プリント回路基板９の接地部９ｂと接触する構成としてもよい。この構成にあっては、第１枠部２２の抑制凸部２３が非熱膨張のプリント回路基板９に接触しているため、プリント回路基板９の取付け強度を高めることができるとともに、特別のアース用部品を増加することなくプリント回路基板９をアースすることができる。
【図面の簡単な説明】
【００２８】
【図１】本発明に係る表示装置の構成を示す一部を省略した断面図である。
【図２】本発明に係る表示装置の要部の構成を示す拡大断面図である。
【図３】本発明に係る表示装置におけるパネルモジュールの構成を示す斜視図である。
【図４】本発明に係る表示装置におけるパネルモジュールの一部を拡大した斜視図である。
【図５】本発明に係る表示装置におけるプリント基板の構成を示す斜視図である。
【図６】本発明に係る表示装置の要部の他の構成を示す拡大断面図である。
【符号の説明】
【００２９】
１    表示パネル
１ａ  表示面
２    前挾持部材
２１  第１環板部
２２  第１枠部
２３  抑制凸部
３    後挾持部材
３１  第２環板部
３２  第２枠部
９    プリント回路基板
９ａ  実装部
９ｂ  接地部（非実装部）
９１  電子部品 
【図１】
2009175445.tif 000003
【図２】
2009175445.tif 000004
【図３】
2009175445.tif 000005
【図４】
2009175445.tif 000006
【図５】
2009175445.tif 000007
【図６】
2009175445.tif 000008